(57)【要約】【課題】  液晶表示装置の小型化を図る。【解決手段】  モールドフレームは、ｎ個の発光ダイオードの各々が配置されるｎ個の第１の空間と、発光ダイオードの導光板とは反対側に形成され、複数の電子部品が配置される第２の空間と、前記ｎ個の第１の空間のそれぞれと、前記第２の空間とを接続する第３の空間とを有し、前記第３の空間にも、フレキシブル配線基板に実装される複数の電子部品の少なくとも１つの電子部品若しくはその一部が配置される。【選択図】        図４
2009217003.tif 000002
【特許請求の範囲】
【請求項１】
一対の基板と、前記一対の基板間に挟持される液晶とを有する液晶表示パネルと、
前記液晶表示パネルの観察者側とは反対側に配置されるバックライトとを備える液晶表示装置であって、
前記バックライトは、枠状のモールドフレームと、
ｎ（ｎ≧２）個の発光ダイオードと、
導光板と、を有し、
前記液晶表示パネルは、前記一対の基板の一方の基板の少なくとも一辺に接続されるフレキシブル配線基板を有し、
前記フレキシブル配線基板には、複数の電子部品が実装されており、
前記モールドフレームは、前記ｎ個の発光ダイオードの各々が配置されるｎ個の第１の空間と、
前記発光ダイオードの前記導光板とは反対側に形成され、前記電子部品が配置される第２の空間と、
前記ｎ個の第１の空間のそれぞれと、前記第２の空間とを接続する第３の空間とを有し、
前記第３の空間にも、前記フレキシブル配線基板に実装される複数の電子部品の少なくとも１つの電子部品が配置されることを特徴とする液晶表示装置。
【請求項２】
一対の基板と、前記一対の基板間に挟持される液晶とを有する液晶表示パネルと、
前記液晶表示パネルの観察者側とは反対側に配置されるバックライトとを備える液晶表示装置であって、
前記バックライトは、枠状のモールドフレームと、
ｎ（ｎ≧２）個の発光ダイオードと、
導光板とを有し、
前記液晶表示パネルは、前記一対の基板の一方の基板の少なくとも一辺に接続されるフレキシブル配線基板を有し、
前記フレキシブル配線基板には、複数の電子部品が実装されており、
前記モールドフレームは、前記ｎ個の発光ダイオードの各々が配置されるｎ個の第１の空間と、
前記発光ダイオードの前記導光板とは反対側に形成され、前記電子部品が配置される第２の空間と、
前記ｎ個の第１の空間のそれぞれと、前記第２の空間とを接続する第３の空間とを有し、
前記第３の空間には、前記フレキシブル配線基板に実装される複数の電子部品の少なくとも１つの電子部品の一部が配置されることを特徴とする液晶表示装置。
【請求項３】
前記ｎ個の発光ダイオードは、第１の方向に配置されており、
前記各第３の空間の前記第１の方向の長さは、前記各発光ダイオードの第１の方向の長さよりも短いことを特徴とする請求項１又は２に記載の液晶表示装置。
【請求項４】
前記第１の方向と直交する第２の方向において、前記各発光ダイオードと、前記モールドフレームとが重なる領域の長さは、０．０５ｍｍ以上０．４２ｍｍ以下であることを特徴とする請求項３に記載の液晶表示装置。
【請求項５】
前記第３の空間を規定する前記モールドフレームの部分から連続し、前記第１の空間を規定する前記モールドフレームの側壁は、前記観察者側とは反対側から見たとき、直線状の斜辺になっていることを特徴とする請求項３に記載の液晶表示装置。
【請求項６】
前記第３の空間を規定する前記モールドフレームの部分から連続し、前記第１の空間を規定する前記モールドフレームの側壁は、前記観察者側とは反対側から見たとき、曲線状の斜辺になっていることを特徴とする請求項３に記載の液晶表示装置。
【請求項７】
前記第１乃至第３の空間は、前記モールドフレームに形成された貫通孔からなることを特徴とする請求項１又は請求項２に記載の液晶表示装置。
【請求項８】
前記第１乃至第３の空間は、前記モールドフレームに形成された凹部からなることを特徴とする請求項１又は請求項２に記載の液晶表示装置。
【請求項９】
前記フレキシブル配線基板は、前記液晶表示パネルの観察者側からその反対側に折り曲げられており、
前記ｎ個の発光ダイオード及び複数の電子部品は、前記液晶表示パネルの観察者側とは反対側において、前記フレキシブル配線基板の前記観察者側の面に実装されていることを特徴とする請求項１又は請求項２に記載の液晶表示装置。
【請求項１０】
前記フレキシブル配線基板は、前記液晶表示パネルの観察者側からその反対側に折り曲げられており、
前記ｎ個の発光ダイオード及び複数の電子部品は、前記液晶表示パネルの観察者側とは反対側において、前記フレキシブル配線基板の前記観察者側とは反対側の面に実装されていることを特徴とする請求項１又は請求項２に記載の液晶表示装置。
【発明の詳細な説明】
【技術分野】
【０００１】
本発明は、液晶表示装置に関し、特に、バックライトを備えた液晶表示装置に適用して有効な技術に関するものである。
【背景技術】
【０００２】
サブピクセル数が、カラー表示で２４０×３２０×３程度の小型の液晶表示パネルを有するＴＦＴ（Thin Film Transistor）方式の液晶表示装置は、携帯電話機などの携帯機器の表示部として広く使用されている。
携帯電話などの携帯機器の表示部として使用される液晶表示装置は、液晶表示パネルと、液晶表示パネルに光を照射するバックライトとを備えている。液晶表示パネルは、一対の基板と、前記一対の基板間に挟持される液晶とを有し、更に前記一対の基板の一方の基板の少なくとも一辺に接続されるフレキシブル配線基板を有している。バックライトは、枠状のモールドフレームと、複数個の発光ダイオードと、導光板とを有している。フレキシブル配線基板には、抵抗素子、容量素子等の電子部品が複数個実装されており、更に前記バックライトを構成する複数個の発光ダイオードも実装されている。
この液晶表示装置においては、フレキシブル配線基板に実装された複数個の発光ダイオードの各々を収納する複数の第１の空間と、フレキシブル配線基板に実装された複数の電子部品を収納する第２の空間とがモールドフレームに設けられており、フレキシブル配線基板を液晶表示パネルの観察者側からその反対側に折り曲げることにより、複数の電子部品及び複数の発光ダイオードをモールドフレームの空間（第１の空間、第２の空間）内に収納する構造（以下、フラットバック構造という）になっている。このフラットバック構造は、液晶モジュールから厚さ方向への部品の出っ張りが無いため、広く採用されている。
なお、フラットバック構造の液晶表示装置については、下記の特許文献に開示されている。
【０００３】
【特許文献１】特開２００７−２５４８４号公報
【発明の開示】
【発明が解決しようとする課題】
【０００４】
図８は、従来のフラットバック構造の液晶表示装置において、フレキシブル配線基板を展開した状態を示す図、図９は、図８のモールドフレームの空間に発光ダイオードを配置した状態を示す図である。図８及び図９において、５はフレキシブル配線基板、６はモールドフレーム、６ａは空間仕切り部、７は導光板の裏面側に貼り付けられた反射シート、８は発光ダイオード、９は抵抗素子、容量素子等の電子部品、１０は発光ダイオードを収納する第１の空間、１６は両面テープ、１１は電子部品９を収納する第２の空間である。
フラットバック構造の液晶表示装置においても小型化が要求されている。しかしながら、従来のフラットバック構造の液晶表示装置では、図８及び図９に示すように、発光ダイオード８を収納する第１の空間１０と、電子部品９を収納する第２の空間１１とが液晶表示装置の長手方向（Ｘ方向）に順次配置されているため、液晶表示装置の長手方向のサイズが大きく、小型化の弊害となる。
【０００５】
一方、第１の空間１０と第２の空間１１との間には、モールドフレーム６の一部（以下、空間仕切り部６ａという）が設けられている。そのため、発光ダイオード８から真後ろへ発せられ、空間仕切り部６ａの側壁に反射された光は、発光ダイオード自身が弊害となって遮断されてしまい、バックライト輝度向上には貢献していない。
そこで、本発明者は、モールドフレーム６の空間仕切り部６ａに着目し、本発明を成した。
本発明の目的は、液晶表示装置の小型化を図ることが可能な技術を提供することにある。
本発明の他の目的は、液晶表示装置の小型化及びバックライト輝度向上を図ることが可能な技術を提供することにある。
本発明の前記並びにその他の目的と新規な特徴は、本明細書の記述及び添付図面によって明らかになるであろう。
【課題を解決するための手段】
【０００６】
本願において開示される発明のうち、代表的なものの概要を簡単に説明すれば、下記のとおりである。
（１）一対の基板と、前記一対の基板間に挟持される液晶とを有する液晶表示パネルと、前記液晶表示パネルの観察者側とは反対側に配置されるバックライトとを備える液晶表示装置であって、前記バックライトは、枠状のモールドフレームと、ｎ（ｎ≧２）個の発光ダイオードと、導光板とを有し、前記液晶表示パネルは、前記一対の基板の一方の基板の少なくとも一辺に接続されるフレキシブル配線基板を有し、前記フレキシブル配線基板には、複数の電子部品が実装されており、前記モールドフレームは、前記ｎ個の発光ダイオードの各々が配置されるｎ個の第１の空間と、前記発光ダイオードの前記導光板とは反対側に形成され、前記電子部品が配置される第２の空間と、前記ｎ個の第１の空間のそれぞれと、前記第２の空間とを接続する第３の空間とを有し、前記第３の空間にも、前記フレキシブル配線基板に実装される複数の電子部品の少なくとも１つの電子部品が配置されている。
【０００７】
（２）一対の基板と、前記一対の基板間に挟持される液晶とを有する液晶表示パネルと、前記液晶表示パネルの観察者側とは反対側に配置されるバックライトとを備える液晶表示装置であって、前記バックライトは、枠状のモールドフレームと、ｎ（ｎ≧２）個の発光ダイオードと、導光板とを有し、前記液晶表示パネルは、前記一対の基板の一方の基板の少なくとも一辺に接続されるフレキシブル配線基板を有し、前記フレキシブル配線基板には、複数の電子部品が実装されており、前記モールドフレームは、前記ｎ個の発光ダイオードの各々が配置されるｎ個の第１の空間と、前記発光ダイオードの前記導光板とは反対側に形成され、前記電子部品が配置される第２の空間と、前記ｎ個の第１の空間のそれぞれと、前記第２の空間とを接続する第３の空間とを有し、前記第３の空間には、前記フレキシブル配線基板に実装される複数の電子部品の少なくとも１つの電子部品の一部が配置されている。
【０００８】
（３）上記（１）又は（２）において、前記ｎ個の発光ダイオードは、第１の方向に配置されており、前記各第３の空間の前記第１の方向の長さは、前記各発光ダイオードの第１の方向の長さよりも短い。
（４）上記（３）において、前記第１の方向と直交する第２の方向において、前記各発光ダイオードと、前記モールドフレームとが重なる領域の長さは、０．０５ｍｍ以上０．４２ｍｍ以下である。
（５）上記（３）において、前記第３の空間を規定する前記モールドフレームの部分から連続し、前記第１の空間を規定する前記モールドフレームの側壁は、前記観察者側とは反対側から見たとき、直線状の斜辺になっている。
（６）上記（３）において、前記第３の空間を規定する前記モールドフレームの部分から連続し、前記第１の空間を規定する前記モールドフレームの側壁は、前記観察者側とは反対側から見たとき、曲線状の斜辺になっている。
【０００９】
（７）上記（１）又は（２）において、前記第１乃至第３の空間は、前記モールドフレームに形成された貫通孔からなる。
（８）上記（１）又は（２）において、前記第１乃至第３の空間は、前記モールドフレームに形成された凹部からなる。
（９）上記（１）又は（２）において、前記フレキシブル配線基板は、前記液晶表示パネルの観察者側からその反対側に折り曲げられており、前記ｎ個の発光ダイオード及び複数の電子部品は、前記液晶表示パネルの観察者側とは反対側において、前記フレキシブル配線基板の前記観察者側の面に実装されている。
（１０）上記（１）又は（２）において、前記フレキシブル配線基板は、前記液晶表示パネルの観察者側からその反対側に折り曲げられており、前記ｎ個の発光ダイオード及び複数の電子部品は、前記液晶表示パネルの観察者側とは反対側において、前記フレキシブル配線基板の前記観察者側とは反対側の面に実装されている。
【発明の効果】
【００１０】
本願において開示される発明のうち代表的なものによって得られる効果を簡単に説明すれば、下記のとおりである。
本発明によれば、液晶表示装置の小型化を図ることが可能となる。
本発明によれば、液晶表示装置の小型化及びバックライト輝度向上を図ることが可能となる。
【発明を実施するための最良の形態】
【００１１】
以下、図面を参照して本発明の実施例を詳細に説明する。なお、発明の実施例を説明するための全図において、同一機能を有するものは同一符号を付け、その繰り返しの説明は省略する。
本実施例では、フラットバック構造の液晶表示装置に本発明を適用した例について説明する。
図１乃至図６は、本発明の一実施例の液晶表示装置に係る図であり、
図１は、液晶表示装置を上側から見た図、
図２は、液晶表示装置を下側から見た図、
図３は、フレキシブル配線基板を展開した状態を示す図、
図４は、図１のＡ−Ａ’線に沿った断面構造を示す断面図、
図５は、図３の一部を拡大した図、
図６は、図３のモールドフレームの空間に発光ダイオードを収納した状態を示す図である。
図１乃至図６において、１は偏光板、２，３は基板、４は半導体チップ、５はフレキシブル配線基板（ＦＰＣ）、６はモールドフレーム、７は反射シート、８は発光ダイオード、９は電子部品、１０は第１の空間、１１は第２の空間、１２は第３の空間、１３は偏光板、１４は光学シート群、１５は導光板、１６は両面テープ、２１は液晶表示パネル、２２はバックライトである。
【００１２】
本実施例の液晶表示装置は、サブピクセル数が、カラー表示で２４０×３２０×３程度の小型の液晶表示パネルを有するＴＦＴ（Thin Film Transistor）方式の液晶表示装置であり、携帯電話機などの携帯機器の表示部として広く使用されている。
本実施例の液晶表示装置は、図４に示すように、液晶表示パネル２１と、液晶表示パネル２１に光を照射するバックライト２２とを備えている。
液晶表示パネル２１は、偏光板１及び１３と、一対の基板（２，３）と、前記一対の基板間に挟持される液晶と、駆動回路が搭載された半導体チップ４と、前記一対の基板の一方の基板３の少なくとも一辺に接続されるフレキシブル配線基板５とを有している。また、液晶表示パネル２１は複数のサブピクセルを有し、この複数のサブピクセルの各々のサブピクセルは画素電極及び対向電極を有している。
一対の基板（２，３）としては、例えばガラス基板が用いられている。一対の基板（２，３）の各々の平面形状は方形状で形成されており、例えば長辺及び短辺を有する長方形で形成されている。一対の基板（２，３）のうち、一方の基板３の長辺は他方の基板２の長辺よりも長く、一方の基板３は他方の基板２と重畳しない領域（以下、非重畳領域という）を有する構成になっている。一方の基板３には、薄膜トランジスタ、画素電極、対向電極等が形成されており、他方の基板２には、カラーフィルタ等が形成されている。即ち、本実施例の液晶表示パネル２１はＩＰＳ方式を採用している。偏光板１は、他方の基板２の液晶側の面とは反対側の面（観察者側の面）に貼り付けられている。偏光板１３は、一方の基板３の液晶側の面とは反対側の面（背面、裏面）に貼り付けられている。半導体チップ４は、一方の基板３の液晶側の面の非重畳領域に実装されている。
【００１３】
バックライト２２は、枠状のモールドフレーム６と、反射シート７と、ｎ（ｎ≧２）個の発光ダイオード８と、光学シート群と、導光板１５とを有している。反射シート７、導光板１５及び光学シート群１４は、この順序でモールドフレーム６内に配置されている。モールドフレーム６としては、例えば白色の樹脂製モールドフレームが用いられている。
フレキシブル配線基板５には、抵抗素子、容量素子等の電子部品９が複数個実装されており、更にバックライト２２を構成するｎ個の発光ダイオード８も実装されている。本実施例では、図３に示すように、例えば３個の発光ダイオード８が実装されている。
【００１４】
図３乃至図５に示すように、モールドフレーム６は、ｎ個の発光ダイオード８の各々が配置されるｎ個の第１の空間１０と、発光ダイオード８の導光板１５とは反対側に形成され、電子部品９が配置される第２の空間１１と、ｎ個の第１の空間１０のそれぞれと第２の空間１１とを接続する第３の空間１２とを有し、第３の空間１２にも、フレキシブル配線基板５に実装される複数個の電子部品９の少なくとも１つの電子部品９若しくはその一部が配置される。本実施例では、複数個の電子部品９の少なくとも１つの電子部品９が第３の空間１２に配置されている。また、本実施例では、第１乃至第３の空間（１０，１１，１２）は、モールドフレーム６に形成された貫通孔によって構成されている。なお、第１乃至第３の空間（１０，１１，１２）は、モールドフレーム６に形成された凹部によって構成してもよい。
このように、モールドフレーム６を、ｎ個の発光ダイオード８の各々が配置されるｎ個の第１の空間１０と、発光ダイオード８の導光板１５とは反対側に形成され、電子部品９が配置される第２の空間１１と、ｎ個の第１の空間１０のそれぞれと第２の空間１１とを接続する第３の空間１２とを有する構成とし、第３の空間１２にも、フレキシブル配線基板５に実装される複数個の電子部品９の少なくとも１つの電子部品９若しくはその一部を配置することにより、図９に示す従来のモールドフレームの場合と比較して液晶表示装置の長手方向のサイズを縮小することができ、液晶表示装置の小型化を図ることができる。
【００１５】
本実施例の液晶表示装置は、図１乃至図４に示すように、フレキシブル配線基板５を液晶表示パネル２１の観察者側からその反対側に折り曲げることにより、複数の電子部品９及びｎ個の発光ダイオード８をモールドフレーム６の空間（第１の空間１０、第２の空間１１、第３の空間１２）内に収納する構造（以下、フラットバック構造という）になっている。本実施例では、第３の空間１２にも、複数個の電子部品９の少なくとも１つの電子部品９が収納されており、第３の空間１２を電子部品９の収納領域として使用している。
ｎ個の発光ダイオード８は、第１の方向（Ｙ方向）に配置されており（図３参照）、各第３の空間１２の第１の方向（Ｙ方向）の長さ１２Ｌは、各発光ダイオード８の第１の方向（Ｙ方向）の長さ８Ｌよりも短くなっている（１２Ｌ＜８Ｌ）（図６参照）。
図６に示すように、同一平面内で第１の方向（Ｙ方向）と直交する第２の方向（Ｘ方向）において、各発光ダイオード８と、モールドフレーム６とが重なっており、この重なる領域の長さａは、０．０５ｍｍ以上０．４２ｍｍ以下になっている。
第３の空間１２を規定するモールドフレーム６の部分から連続し、第１の空間１０を規定するモールドフレーム６の側壁１０ａは、液晶表示パネル２１の観察者側とは反対側から見たとき、第１の方向（Ｙ方向）に沿う第１の部分１０ａ１と、この第１の部分１０ａ１から第２の方向（Ｘ方向）に沿う第２の部分１０ａ２とを有する矩形辺になっている。
図４に示すように、フレキシブル配線基板５は、液晶表示パネル２１の観察者側からその反対側に折り曲げられており、ｎ個の発光ダイオード８及び複数個の電子部品９は、液晶表示パネル２１の観察者側とは反対側において、フレキシブル配線基板５の観察者側の面に実装、換言すればフレキシブル配線基板５よりも一対の基板（２，３）側に配置されている。
【００１６】
ここで、発光ダイオード８は、図６に示すように、発光面方向（導光板１５と対向する面側）のみ光を発するのではなく、そのパッケージ全体から光を発するため、横方向、後ろ方向へ出た光も白色のモールドフレーム６を使って正面方向（導光板１５側）へ反射させることで効率良くバックライト２２を発光させることができる。
図９に示す従来のモールドフレーム６では、第１の空間１０と第２の空間１１との間に空間仕切り部６ａ（モールドフレーム６の一部）が設けられており、発光ダイオード８から真後ろへ発せられ、空間仕切り部６ａの側壁に反射された光は、発光ダイオード自身が弊害となって遮断されてしまい、バックライト輝度向上に貢献しない。
【００１７】
そこで、図６の本実施例のように、同一平面内で第１の方向（Ｙ方向）と直交する第２の方向（Ｘ方向）において、各発光ダイオード８と、モールドフレーム６とが重なる領域の長さａを０．０５ｍｍ以上０．４２ｍｍ以下とし、発光ダイオード８の背面から出た光を導光板１５側へ反射させる側壁をモールドフレーム６に残すことで、発光ダイオード８の背面から出た光のうち、発光ダイオード８が弊害となって遮断されてしまう光以外の光を導光板１５側へ戻す（導く）ことができる。この最低限の側壁１０ａを残し、第１の空間１０と第２の空間１１とを接続する第３の空間１２を設けることで、発光ダイオード８の光を従来よりもロスさせることなく、液晶表示装置の長手方向のサイズ縮小に寄与することができる。これにより、液晶表示装置の小型化及びバックライト輝度向上を図ることができる。
【００１８】
図７は、本発明の一実施例の変形例を示す図（モールドフレームの空間に発光ダイオードを収納した状態を示す図）である。
図６に示す実施例では、第３の空間１２を規定するモールドフレーム６の部分から連続し、第１の空間１０を規定するモールドフレーム６の側壁１０ａは、液晶表示パネルの観察者側とは反対側から見たとき、第１の方向（Ｙ方向）に沿う第１の部分１０ａ１と、この第１の部分１０ａ１から第２の方向（Ｘ方向）に沿う第２の部分１０ａ２とを有する矩形辺になっている。
これに対し、図７に示す本変形例では、第３の空間１２を規定するモールドフレーム６の部分から連続し、第１の空間１０を規定するモールドフレーム６の側壁１０ａは、液晶表示パネル２１の観察者側とは反対側から見たとき、曲線状の斜辺になっている。このように、モールドフレーム６の側壁１０ａを曲線状の傾斜辺とすることにより、図６の実施例と比較して発光ダイオード８の斜め後方及び横方向へ発せられた光を更に効率よく導光板１５側へ反射させることができる。
なお、液晶表示パネル２１の観察者側とは反対側から見たときのモールドフレーム６の側壁１０ａを直線状の傾斜辺としてもよい。この場合においても、図７の変形例と同様に、図６の実施例と比較して発光ダイオード８の斜め後方及び横方向へ発せられた光を更に効率よく導光板１５側へ反射させることができる。
なお、前述の実施例では、ｎ個の発光ダイオード８及び複数個の電子部品９は、液晶表示パネル２１の観察者側とは反対側において、フレキシブル配線基板５の観察者側の面に実装されている例について説明したが、本発明は、ｎ個の発光ダイオード８及び複数個の電子部品９が、液晶表示パネル２１の観察者側とは反対側において、フレキシブル配線基板５の観察者側とは反対側の面に実装されている場合においても適用できる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１９】
【図１】本発明の一実施例である液晶表示装置を上側から見た図である。
【図２】本発明の一実施例である液晶表示装置を下側から見た図である。
【図３】図２において、フレキシブル配線基板を展開した状態を示す図である。
【図４】図１のＡ−Ａ’線に沿った断面構造を示す断面図である。
【図５】図３の一部を拡大した図である。
【図６】図３のモールドフレームの空間に発光ダイオードを収納した状態を示す図である。
【図７】本発明の一実施例の変形例を示す図（モールドフレームの空間に発光ダイオードを収納した状態を示す図）である。
【図８】従来の液晶表示装置において、フレキシブル配線基板を展開した状態を示す図である。
【図９】従来の液晶表示装置において、モールドフレームの空間に発光ダイオードを収納した状態を示す図である。
【符号の説明】
【００２０】
１  偏光板
２  基板
３  基板
４  半導体チップ
５  フレキシブル配線基板
６  モールドフレーム
７  反射シート
８  発光ダイオード
９  電子部品
１０  第１の空間
１１  第２の空間
１２  第３の空間
１３  偏光板
１４  光学シート群
１５  導光板
１６  両面テープ
２１  液晶表示パネル
２２  バックライト
【図１】
2009217003.tif 000003
【図２】
2009217003.tif 000004
【図３】
2009217003.tif 000005
【図４】
2009217003.tif 000006
【図５】
2009217003.tif 000007
【図６】
2009217003.tif 000008
【図７】
2009217003.tif 000009
【図８】
2009217003.tif 000010
【図９】
2009217003.tif 000011